(57)【特許請求の範囲】
【請求項１】
一次コイルと二次コイルとを鉄心で磁気的に結合させる鉄心・コイル組立体を絶縁ケース内に収納し、この絶縁ケースの下端に延設された筒状の高圧タワー内に配設した高圧端子と前記二次コイルの端末に接続した端末ピンとを接続する内燃機関用点火コイルであって、
前記絶縁ケースの下端域で高圧タワーに臨む部位の一底壁を前記高圧タワーの中心軸線方向へ延設して係止片を構成し、
前記係止片の下端と高圧タワーの下方から圧入された高圧端子とで前記端末ピンの先端部を押圧固定することを特徴とする内燃機関用点火コイル。
【請求項２】
前記端末ピンの先端部は、前記係止片の突出方向と略平行に折曲して形成されたことを特徴とする請求項１に記載の内燃機関用点火コイル。
【発明の詳細な説明】
【技術分野】
【０００１】
本発明は、例えば自動車等の内燃機関エンジンの点火プラグに火花放電を発生させるために高電圧を供給する内燃機関用点火コイルに関し、特に二次コイルと端末ピン（接続ピン）との接続構造に関するものである。
【背景技術】
【０００２】
図３は、従来の内燃機関用点火コイルの一例を示す縦断面図である。図３において、内燃機関用点火コイル１１は、鉄心・コイル組立体１２と、この鉄心・コイル組立体１２を収容する合成樹脂製の絶縁ケース１３と、二次端子（高圧端子）１４と、絶縁ケース１３内に各構成部品を絶縁しながら固定する絶縁性を有した熱硬化性樹脂１５等から構成されている。
【０００３】
また、鉄心・コイル組立体１２は、鉄心１６と一次コイルボビン１７と、この一次コイルボビン１７に配設され、一次端子に接続される一次端末ピン１８Ａ，１８Ｂと、一次コイルボビン１７の周囲に巻き付けられ、巻き始めが一次端末ピン１８Ａに接続されるとともに、巻き終わりが一次端末ピン１８Ｂに接続される一次コイル１９と、この一次コイル１９と二次コイル２１が同心円状に巻回される二次コイルボビン２０と、この二次コイルボビン２０の一端に配設され、二次コイル２１と接続された二次端末ピン２２とで構成されている。二次端末ピン２２が圧接する二次端子１４の円錐状部分に嵌合可能な筒状の仲介端子２３が配設されている。そして、二次端末ピン２２の仲介端子２３に対応する部分にＶ字状の折り曲げ部２２Ｖを設けたものが提案されている（特許文献１）。この従来例では、二次端末ピン２２の弾性力を利用して高圧端子１４と接触の安定を図っている。
【０００４】
図４は、別の従来例を示す要部拡大断面図である。この実施例においては、接続端子４１は、高圧端子４２の上端に圧入されることによって拡径する環状部４１ａと、この環状部４１ａに連なり、環状部４１ａが拡径することによって間隔が窄んで二次コイルに接続された端末ピン４３を両側から挟み込む第１、第２挟持片４１ｂ，４１ｃとで構成され、この第１、第２挟持片４１ｂ，４１ｃ間に端末ピン４３を圧入することにより、接続している。なお、第１、第２挟持片４１ｂ，４１ｃの上端は、端末ピン４３を保持し易くするために、上方が拡開している（特許文献２）。
【先行技術文献】
【特許文献】
【０００５】
【特許文献１】特許第３６５５８７０号公報
【特許文献２】特許第３５９５２８５号公報
【発明の概要】
【発明が解決しようとする課題】
【０００６】
しかし、このような構成の従来の内燃機関用点火コイルにおいて、特許文献１のように二次端末ピンの弾性力を利用して高圧端子と接触させる構造では、弾性力の低下等に起因する接触不良と云う不安定要素が存在した。
また、引用文献２に示すように、挟持片間に端末ピンを圧入する構造では、挟持片の構成が複雑になる上に、その高い寸法精度が要求されると云う欠点が存在した。
【０００７】
この発明は、上記に鑑み提案されたもので、絶縁ケースの下端域で高圧タワーに臨む部位の一底壁を高圧タワーの中心軸線方向へ延設して係止片を構成し、この係止片の下端と高圧タワーの下方から圧入された高圧端子とで端末ピンの先端部を押圧固定するので、部品点数を増加することなく端末ピンと高圧タワーとの接続信頼性を向上できる内燃機関用点火コイルを提供することを目的とするものである。
【課題を解決するための手段】
【０００８】
上記目的を達成する為に、一次コイルと二次コイルとを鉄心で磁気的に結合させる鉄心・コイル組立体を絶縁ケース内に収納し、この絶縁ケースの下端に延設された筒状の高圧タワー内に配設した高圧端子と前記二次コイルの端末に接続した端末ピンとを接続する内燃機関用点火コイルであって、前記絶縁ケースの下端域で高圧タワーに臨む部位の一底壁を前記高圧タワーの中心軸線方向へ延設して係止片を構成し、前記係止片の下端と高圧タワーの下方から圧入された高圧端子とで前記端末ピンの先端部を押圧固定することを特徴としている。
【０００９】
また、本発明において、前記端末ピンの先端部は、前記係止片の突出方向と略平行に折曲して形成されたことを特徴とする。
【発明の効果】
【００１０】
この発明は上記した構成からなるので、以下に説明するような効果を奏することができる。
【００１１】
本発明では、一次コイルと二次コイルとを鉄心で磁気的に結合させる鉄心・コイル組立体を絶縁ケース内に収納し、この絶縁ケースの下端に延設された筒状の高圧タワー内に配設した高圧端子と前記二次コイルの端末に接続した端末ピンとを接続する内燃機関用点火コイルであって、前記絶縁ケースの下端域で高圧タワーに臨む部位の一底壁を前記高圧タワーの中心軸線方向へ延設して係止片を構成し、前記係止片の下端と高圧タワーの下方から圧入された高圧端子とで前記端末ピンの先端部を押圧固定するので、複雑な形状や高い寸法精度を必要とすることなく、端末ピンと高圧端子との電気的接続性を安定させることができる。また、部品点数の増加を招くこともない。
【００１２】
また、本発明において前記端末ピンの先端部は、前記係止片の突出方向と略平行に折曲して形成されたので、端末ピン先端と高圧端子との接触範囲を広くすることができる。したがって、接続信頼性を向上できる。
【図面の簡単な説明】
【００１３】
【図１】図１は、本発明に係る内燃機関用点火コイルの一例を示す縦断面図である。
【図２】図２は、同内燃機関用点火コイルの要部拡大断面図である。
【図３】図３は、従来の内燃機関用点火コイルの一例を示す縦断面図である。
【図４】図４は、従来の内燃機関用点火コイルの他の例を示す要部拡大断面図である。
【発明を実施するための形態】
【００１４】
内燃機関用点火コイルにおいて、絶縁ケースの下端域で高圧タワーに臨む部位の一底壁を高圧タワーの中心軸線方向へ延設して係止片を構成し、この係止片の下端と高圧タワーの下方から圧入された高圧端子とで端末ピンの先端部を押圧固定するので、複雑な形状や高い寸法精度を必要とすることなく、端末ピンと高圧端子との間の電気的接続性を安定させることができる。
【実施例】
【００１５】
以下、一実施の形態を示す図面に基づいて本発明を詳細に説明する。図１は、本発明に係る内燃機関用点火コイルの一例を示す縦断面図、図２は本願発明の内燃機関用点火コイルの要部拡大断面図である。ここで、内燃機関用点火コイル１００は、一次コイル１０１と二次コイル１０２とを鉄心１０３で磁気的に結合させる鉄心・コイル組立体１０４を絶縁ケース１０５内に収納し、この絶縁ケース１０５の下端に延設された筒状の高圧タワー１０６内に配設した高圧端子１０７と前記二次コイル１０２の端末と電気的に接続した端末ピン１０８とを接続するものであって、前記絶縁ケース１０５の下端域で高圧タワー１０６に臨む部位１０５ａの一底壁を前記高圧タワー１０６の中心軸線Ｌ方向へ延設して係止片１０９を構成し、前記係止片１０９の下端と高圧タワー１０６の下方から圧入される高圧端子１０７とで端末ピン１０８の先端部１０８ａを押圧固定する構成となっている。また、絶縁ケース１０５の一側端には、一次端子１１１が収納された一次ソケット１１２が形成されており、この一次端子１１１が一次コイル１０１に接続されている。
【００１６】
高圧タワー１０６は、絶縁ケース１０５の下端に連続して形成されており、その連続部位に係止片１０９が水平に突設されている。係止片１０９は、絶縁ケースの一底壁を筒状の高圧タワー１０６の中心軸線Ｌ方向へ延設して形成する。したがって、高圧タワー１０６の下方から圧入された高圧端子１０７は、この係止片１０９で上昇が押えられるとともに狭幅に形成された上端１０６ａに嵌合して停止する。また、係止片１０９は、絶縁ケース１０５の底面の一部しか閉じていないので、開口した部分から端末ピン１０８を挿通することができる。更に、係止片１０９の下端面には、滑り止めの凹凸を形成してもよい。
【００１７】
端末ピン１０８は、導電性材料から成り、二次コイル１０２の巻回されたコイルボビン１１３の一部に一端が挿入固定されるとともに、下方斜めで高圧タワー１０６の中心軸線Ｌ方向に延設され、先端部１０８ａ（自由端）が係止片１０９の突出方向と略平行に折曲して形成されている。
また、端末ピン１０８の先端部１０８ａは、梨地或いは凹凸形状に構成してもよい。
【００１８】
以上のような構造の内燃機関用点火コイルは、次のような手順で製造される。
先ず、絶縁ケース１０５の上端開口からに一次コイル１０１および二次コイル１０２がコイルボビンに巻回された鉄心・コイル組立体１０４の下端に端末ピン１０８を取り付けたものを、端末ピン１０８が下側になるように挿入する。
また、端末ピン１０８の先端部１０８ａは、係止片１０９の下端に位置するように挿入する。次に、高圧タワー１０６の下方から高圧端子１０７を圧入する。また、一次端子１１１の後端と一次コイル１０１とは溶接等によって電気的に接続する。
このように、絶縁ケース１０５内に鉄心・コイル組立体１０４、端末ピン１０８等を収納した後、全体を真空槽に入れ、周囲を真空にした後に溶融した熱硬化性樹脂を真空注型し、熱硬化させて固定する。この際、絶縁ケース１０５の下端は、圧入された高圧端子１０７によって封鎖されている。
【００１９】
次に、以上のように構成された内燃機関用点火コイル１００は、係止片１０９の下端と高圧タワー１０６の下方から圧入された高圧端子１０７とで端末ピン１０８の先端部１０８ａを押圧固定するので、部品点数の増加や構造の複雑化を招くことなく、端末ピンと高圧端子との電気的接続性を安定させることができる。
【符号の説明】
【００２０】
１００    内燃機関用点火コイル
１０１    一次コイル
１０２    二次コイル
１０３    鉄心
１０４    鉄心・コイル組立体
１０５    絶縁ケース
１０５ａ  下端域
１０６    高圧タワー
１０７    高圧端子
１０８    端末ピン
１０８ａ  先端部
１０９    係止片
１１１    一次端子
１１２    一次ソケット
１１３    コイルボビン
【図１】
0005472814.tif 000002
【図２】
0005472814.tif 000003
【図３】
0005472814.tif 000004
【図４】
0005472814.tif 000005